(57)【要約】【課題】フレキシブルで、かつ、黒表示が可能な透光性の表示装置を提供する。【解決手段】表示装置１０は、表示面１０ａと、表示面１０ａに対して背向する背面１０ｂとを有する表示装置であって、複数の第一画素２０ｐを有し、透光性のＯＬＥＤ表示パネル２０と、複数の第二画素３０ｐを有し、主要部がＯＬＥＤ表示パネル２０に対して背面１０ｂ側に配置され、複数の第二画素３０ｐ毎に光透過率を制御可能な光透過制御パネル３０とを備え、複数の第二画素３０ｐの各々は、複数の第一画素２０ｐの各々よりも面積が大きい。【選択図】図３
2018063929.tif 000002
【特許請求の範囲】
【請求項１】
表示面と、当該表示面に対して背向する背面とを有する表示装置であって、
複数の第一画素を有し、透光性のＯＬＥＤ（Ｏｒｇａｎｉｃ  Ｌｉｇｈｔ  Ｅｍｉｔｔｉｎｇ  Ｄｉｏｄｅ）表示パネルと、
複数の第二画素を有し、主要部が前記ＯＬＥＤ表示パネルに対して前記背面側に配置され、前記複数の第二画素毎に光透過率を制御可能な光透過制御パネルとを備え、
前記複数の第二画素の各々は、前記複数の第一画素の各々よりも面積が大きい
表示装置。
【請求項２】
前記光透過制御パネルは、
光の偏光状態に応じて透過率が異なる第一偏光部材及び第二偏光部材と、
前記第一偏光部材と前記第二偏光部材との間に配置される液晶層とを備える
請求項１に記載の表示装置。
【請求項３】
前記第一偏光部材及び前記液晶層は、前記ＯＬＥＤ表示パネルに対して前記背面側に配置され、
前記第二偏光部材は、前記ＯＬＥＤ表示パネルに対して前記表示面側に配置される
請求項２に記載の表示装置。
【請求項４】
前記ＯＬＥＤ表示パネル及び光透過制御パネルの少なくとも一方は、プラスチック基板を備える
請求項１〜３のいずれか１項に記載の表示装置。
【発明の詳細な説明】
【技術分野】
【０００１】
本開示は、表示装置に関し、特に、透光性の表示パネルを備える表示装置に関する。
【背景技術】
【０００２】
近年、透光性の表示装置（いわゆるシースルーディスプレイ）において動画表示を行う技術が提案されている（例えば、特許文献１など参照）。透光性の表示装置を実現する表示パネルとして、ＯＬＥＤ（Ｏｒｇａｎｉｃ  Ｌｉｇｈｔ  Ｅｍｉｔｔｉｎｇ  Ｄｉｏｄｅ）、液晶などを用いた表示パネルを採用し得る。このような透光性の表示装置においても、透光性でない表示装置と同様に、使用態様の自由度を高めるために、フレキシブルであること、つまり、可撓性を有することが求められる。例えば、透光性の表示装置において液晶表示パネルを用いる場合には、表示パネルを曲げると、液晶層の膜厚が変化し、液晶の配光に影響を与える。このため、液晶表示パネルにおいては、表示品位の安定化とフレキシブル化とを両立させることが困難である。そこで、透光性の表示装置においてＯＬＥＤ表示パネルを用いて、フレキシブル化を実現することが考えられる。例えば、プラスチック基板又は薄ガラスのようなフレキシブルな基板を備えるＯＬＥＤ表示パネルを用いることで、フレキシブルな透光性の表示装置が実現できると考えられる。
【先行技術文献】
【特許文献】
【０００３】
【特許文献１】特開２０１１−２３３３６号公報
【発明の概要】
【発明が解決しようとする課題】
【０００４】
しかしながら、ＯＬＥＤ表示パネルを用いて透光性の表示装置を実現する場合には、ＯＬＥＤ表示パネルが光を遮断する層を備えないため、画像を表示しているときにも、画像に表示装置の背面側から正面側に光が漏れ得る。このため、表示装置において黒表示ができない場合があり得る。
【０００５】
本開示は、上記の課題に鑑みてなされたものであり、フレキシブルで、かつ、黒表示が可能な透光性の表示装置を提供する。
【課題を解決するための手段】
【０００６】
上記課題を解決するために、本開示の一態様に係る表示装置は、表示面と、当該表示面に対して背向する背面とを有する表示装置であって、複数の第一画素を有し、透光性のＯＬＥＤ表示パネルと、複数の第二画素を有し、主要部が前記ＯＬＥＤ表示パネルに対して前記背面側に配置され、前記複数の第二画素毎に光透過率を制御可能な光透過制御パネルとを備え、前記複数の第二画素の各々は、前記複数の第一画素の各々よりも面積が大きい。
【発明の効果】
【０００７】
本開示によれば、フレキシブルで、かつ、黒表示が可能な透光性の表示装置を提供できる。
【図面の簡単な説明】
【０００８】
【図１】図１は、実施の形態１に係る表示装置の外観を示す斜視図である。
【図２】図２は、実施の形態１に係る表示装置の表示部の構成を示す断面図である。
【図３】図３は、実施の形態１に係る表示装置におけるＯＬＥＤ表示パネルの第一画素及び光透過制御パネルの第二画素の配置を示す正面図である。
【図４】図４は、実施の形態２に係る表示装置の表示部の構成を示す断面図である。
【図５】図５は、実施の形態３に係る表示装置の表示部の構成を示す断面図である。
【図６】図６は、実施の形態３に係る表示装置の表示部の構成を示す断面図である。
【発明を実施するための形態】
【０００９】
以下、本開示の実施の形態について、図面を用いて説明する。なお、以下に説明する実施の形態は、いずれも本開示における一具体例を示すものである。したがって、以下の実施の形態で示される、数値、形状、材料、構成要素、構成要素の配置位置及び接続形態、工程、並びに、工程の順序などは、一例であって本開示を限定する主旨ではない。よって、以下の実施の形態における構成要素のうち、本開示における最上位概念を示す独立請求項に記載されていない構成要素については、任意の構成要素として説明される。
【００１０】
なお、各図は、模式図であり、必ずしも厳密に図示されたものではない。また、各図において、実質的に同一の構成に対しては同一の符号を付しており、重複する説明は省略又は簡略化する。
【００１１】
（実施の形態１）
［１−１．全体構成］
実施の形態１に係る表示装置について説明する。まず、本実施の形態に係る表示装置の全体構成について、図面を用いて説明する。
【００１２】
図１は、本実施の形態に係る表示装置１０の外観を示す斜視図である。図２は、本実施の形態に係る表示装置１０の表示部１２の構成を示す断面図である。図２においては、図１のＩＩ−ＩＩ断面の中央部分が示されている。図３は、本実施の形態に係る表示装置１０におけるＯＬＥＤ表示パネル２０の第一画素２０ｐ及び光透過制御パネル３０の第二画素３０ｐの配置を示す正面図である。図３においては、第一画素２０ｐ及び第二画素３０ｐの輪郭の概要が、それぞれ点線及び破線で示されている。なお各図において、表示部１２の厚さ方向に平行な軸をＺ軸方向とし、Ｚ軸方向に直交し、かつ、互いに直交する二つの方向をＸ軸方向及びＹ軸方向としている。
【００１３】
表示装置１０は、図２に示されるように表示面１０ａと、表示面１０ａに対して背向する背面１０ｂとを有する透光性のフラットパネルディスプレイである。本実施の形態では、表示装置１０は、図１に示されるように、主に、表示部１２と、ベゼル１４とを備える。
【００１４】
表示部１２は、透光性の表示パネルである。表示部１２は、背面１０ｂから表示面１０ａまで光を透過させることができる。表示部１２は、ＯＬＥＤ表示パネル２０と、光透過制御パネル３０とを備える。
【００１５】
ベゼル１４は、表示装置１０の表示面１０ａ及び背面１０ｂの周縁に配置された枠状部材である。ベゼル１４の内部には、表示部１２を駆動するための駆動回路、電源回路などが配置されてもよい。なお、表示装置１０は、必ずしもベゼル１４を備えなくてもよい。
【００１６】
ＯＬＥＤ表示パネル２０は、表示装置１０における画像表示部であり、図３に示されるように複数の第一画素２０ｐを有する透光性のパネルである。図２に示されるように、ＯＬＥＤ表示パネル２０は、表示部１２の表示面１０ａ側に配置され、第一透明基板２１と、第二透明基板２２と、第一画素回路層２３と、ＯＬＥＤ層２４とを備える。
【００１７】
複数の第一画素２０ｐは、例えば、図３に示されるようにマトリックス状に配置されてもよい。図３では、長方形状の第一画素２０ｐが示されるが、第一画素２０ｐの形状は特に限定されない。例えば、六角形などでもよい。複数の第一画素２０ｐの各々は、表示部１２に入力された映像信号に基づいて輝度及び発光色が制御される。なお、複数の第一画素２０ｐの各々は、複数の副画素で構成されてもよい。例えば、第一画素２０ｐは、赤色で発光する副画素、緑色で発光する副画素及び青色で発光する副画素の三つの副画素で構成されてもよい。
【００１８】
第一透明基板２１及び第二透明基板２２は、一対の透光性の基板である。第一透明基板２１及び第二透明基板２２は、互いに対向して配置された略同一形状、かつ、略同一寸法の基板である。本実施の形態では、第一透明基板２１及び第二透明基板２２の主面の形状は長方形状であるが、これに限定されない。例えば、第一透明基板２１及び第二透明基板２２の主面の形状は、三角形状などであってもよい。第一透明基板２１及び第二透明基板２２は、それぞれＯＬＥＤ表示パネル２０の背面１０ｂ側の端部及び表示面１０ａ側の端部に配置されて、ＯＬＥＤ層２４を封止する。
【００１９】
第一透明基板２１には、第一画素回路層２３に信号又は直流電圧を供給するための配線が設けられてもよい。また、第二透明基板２２には、ＯＬＥＤ層２４に電圧を供給するための配線が設けられてもよい。
【００２０】
第一透明基板２１及び第二透明基板２２を形成する材料は、透光性であり、かつ、フレキシブルであれば特に限定されない。本実施の形態では、第一透明基板２１及び第二透明基板２２を形成する材料はガラスである。第一透明基板２１及び第二透明基板２２の厚さは、例えば、０．５ｍｍである。第一透明基板２１及び第二透明基板２２の厚さを０．５ｍｍ以下とすることで、フレキシブルなＯＬＥＤ表示パネル２０を実現することができる。
【００２１】
第一画素回路層２３は、ＯＬＥＤ表示パネル２０の画素回路を備える層である。第一画素回路層２３は、第一透明基板２１とＯＬＥＤ層２４との間に配置され、複数の第一画素２０ｐに対応する複数の画素回路を備える。複数の画素回路の各々は、ＯＬＥＤ層２４に供給する電流を制御するための駆動トランジスタ、信号の入出力などを制御するスイッチングトランジスタなどを含んでもよい。第一画素回路層２３は、例えば、第一透明基板２１上にＴＦＴ（Ｔｈｉｎ  Ｆｉｌｍ  Ｔｒａｎｓｉｓｔｏｒ）などを積層することによって形成されてもよい。
【００２２】
ＯＬＥＤ層２４は、ＯＬＥＤ表示パネル２０の発光層である。ＯＬＥＤ層２４は、第一透明基板２１と第二透明基板２２との間に配置され、正孔注入層、正孔輸送層、有機ＥＬ層、電子輸送層などを備える。
【００２３】
光透過制御パネル３０は、複数の第二画素３０ｐを有し、主要部がＯＬＥＤ表示パネル２０に対して背面１０ｂ側に配置され、表示部１２に入力された信号に基づいて複数の第二画素３０ｐ毎に光透過率を制御可能なパネルである。本実施の形態では、図２に示されるように、光透過制御パネル３０の主要部だけでなく、全構成要素がＯＬＥＤ表示パネル２０の背面１０ｂ側に配置される。光透過制御パネル３０は、光の偏光状態に応じて透過率が異なる第一偏光部材３１及び第二偏光部材３２と、第一偏光部材３１と第二偏光部材３２との間に配置される液晶層３５とを備える。光透過制御パネル３０は、さらに、第三透明基板３３と、第四透明基板３４と、第二画素回路層３６とを備える。
【００２４】
複数の第二画素３０ｐは、例えば、図３に示されるようにマトリックス状に配置されてもよい。図３では、長方形状の第二画素３０ｐが示されるが、第二画素３０ｐの形状は特に限定されない。例えば、六角形などでもよい。また、複数の第二画素３０ｐの各々は、複数の第一画素２０ｐの各々よりも面積が大きい。例えば、本実施の形態では、図３に示されるように、第二画素３０ｐの各々は、行方向（図３のＸ軸方向）において第一画素２０ｐの三個分の寸法を有し、列方向（図３のＹ軸方向）において第一画素２０ｐの四個分の寸法を有する。また、図３に示されるように、第一画素２０ｐ及び第二画素３０ｐが長方形状の形状を有する場合には、第二画素３０ｐは、第一画素２０ｐより縦方向及び横方向の寸法が大きくてもよいし、対角線の長さが長くてもよい。また、第二画素３０ｐを囲む最小円の直径が、第一画素２０ｐを囲む最小円の直径より大きくてもよい。また、複数の第二画素３０ｐの各々の面積は、同一でなくてもよい。また、複数の第二画素３０ｐの一部が、複数の第一画素２０ｐの各々より面積が大きくなくてもよい。複数の第二画素３０ｐの少なくとも一部が、複数の第一画素２０ｐの各々よりも面積が大きければよい。
【００２５】
第三透明基板３３及び第四透明基板３４は、一対の透光性の基板である。第三透明基板３３及び第四透明基板３４は、互いに対向して配置された略同一形状、かつ、略同一寸法の基板である。本実施の形態では、第三透明基板３３及び第四透明基板３４の主面の形状は長方形状であるが、これに限定されない。例えば、第三透明基板３３及び第四透明基板３４の主面の形状は、三角形状などであってもよい。第三透明基板３３及び第四透明基板３４は、それぞれ光透過制御パネル３０の背面１０ｂ側の端部及び表示面１０ａ側の端部に配置され、液晶層３５を封止する。また、第三透明基板３３及び第四透明基板３４は、第一透明基板２１及び第二透明基板２２に対して対向して配置される。
【００２６】
第三透明基板３３及び第四透明基板３４を形成する材料は、透光性であれば特に限定されない。本実施の形態では、第三透明基板３３及び第四透明基板３４を形成する材料はガラスである。第三透明基板３３及び第四透明基板３４の厚さは、例えば、０．５ｍｍである。第三透明基板３３及び第四透明基板３４の厚さを０．５ｍｍ以下とすることで、フレキシブルな光透過制御パネル３０を実現することができる。
【００２７】
第二画素回路層３６は、光透過制御パネル３０の画素回路を備える層である。第二画素回路層３６は、第三透明基板３３と第四透明基板３４との間に配置され、複数の第二画素３０ｐに対応する複数の画素回路を備える。複数の画素回路の各々は、液晶層３５に印加する電圧を制御するための駆動トランジスタ、信号の入出力などを制御するスイッチングトランジスタなどを含んでもよい。第二画素回路層３６は、例えば、第四透明基板３４上にＴＦＴなどを積層することによって形成されてもよい。
【００２８】
第一偏光部材３１及び第二偏光部材３２は、入射する光の偏光状態に応じて透過率が異なる部材である。第一偏光部材３１及び第二偏光部材３２は、それぞれ、偏光層を備えるフィルム状の偏光素子である。第一偏光部材３１及び第二偏光部材３２は、例えば、液晶層３５に電圧を印加しない場合に、光透過制御パネル３０が光を透過し、液晶層３５に電圧を印加する場合に、光透過制御パネル３０が光の少なくとも一部を遮断するように構成されてもよい。第一偏光部材３１は、第三透明基板３３の背面１０ｂ側の面に配置され、第二偏光部材３２は、第四透明基板３４の表示面１０ａ側の面に配置される。
【００２９】
液晶層３５は、液晶材料が含まれる層であり、外部から電圧が印加されることによって、第二画素３０ｐ毎に液晶材料の配向が制御される。液晶層３５における液晶材料の配向方向を制御することによって、光透過制御パネル３０に入射された光の偏光状態を制御できる。これにより、光透過制御パネル３０に入射する光量に対する第一偏光部材３１及び第二偏光部材３２を透過する光量の割合、つまり、光透過制御パネル３０の光透過率を、第二画素３０ｐ毎に制御できる。
【００３０】
［１−２．作用及び効果］
本実施の形態に係る表示装置１０の作用及び効果について説明する。
【００３１】
上述した通り、本実施の形態に係る表示装置１０の表示部１２は、透光性のＯＬＥＤ表示パネル２０と、光透過制御パネル３０とを備える。このため、光透過制御パネル３０における光透過率を高くすることにより、表示装置１０の表示部１２において光を透過させることができる。また、光透過制御パネル３０における光透過率を十分に低くすることにより、表示装置１０の表示部１２において、背面１０ｂ側から入射した光が表示面１０ａ側に漏れることを抑制できる。つまり、表示部１２において黒表示を実現できる。
【００３２】
本実施の形態に係る表示装置１０においては、ＯＬＥＤ表示パネル２０を構成する第一透明基板２１及び第二透明基板２２の厚さは、ＯＬＥＤ表示パネル２０をフレキシブル化できる程度に十分に薄い。さらに、光透過制御パネル３０の複数の第二画素３０ｐの各々は、ＯＬＥＤ表示パネル２０の複数の第一画素２０ｐの各々よりも面積が大きい。ここで、本実施の形態のように液晶材料を用いて光透過制御パネル３０の光透過率を制御する場合には、第二画素３０ｐの面積（又は寸法）が大きいほど、光透過制御パネル３０の曲げに対する第二画素３０ｐの光透過率への影響を抑制するための対策を施し易くなる。例えば、液晶層３５内に液晶層３５の厚さの変化を抑制するためのスペーサを配置するなどの対策を施し易くなる。また、第二画素３０ｐの面積が大きいほど第二画素３０ｐ内に含まれる液晶素子の個数が多くなるため、光透過制御パネル３０を曲げた場合に第二画素３０ｐによって表示される映像が破たんすることを抑制できる。したがって、本実施の形態においては、複数の第二画素３０ｐの各々は、複数の第一画素２０ｐの各々より面積が大きいため、複数の第二画素３０ｐの各々が、複数の第一画素２０ｐの各々と同程度以下の面積を有する場合より、光透過制御パネル３０をフレキシブル化することができる。
【００３３】
［１−３．まとめ］
以上のように、本実施の形態に係る表示装置１０は、表示面１０ａと、表示面１０ａに対して背向する背面１０ｂとを有する。表示装置１０は、複数の第一画素２０ｐを有し、透光性のＯＬＥＤ表示パネル２０と、複数の第二画素３０ｐを有し、主要部がＯＬＥＤ表示パネル２０に対して背面１０ｂ側に配置され、複数の第二画素３０ｐ毎に光透過率を制御可能な光透過制御パネル３０とを備える。ここで、複数の第二画素３０ｐの各々は、複数の第一画素２０ｐの各々よりも面積が大きい。
【００３４】
このように、表示装置１０においては、透光性のＯＬＥＤ表示パネル２０によって画像を表示し、光透過制御パネル３０によって黒表示を行うことができる。また、表示装置１０の光透過制御パネル３０は、複数の第二画素３０ｐを有し、複数の第二画素３０ｐの各々は、ＯＬＥＤ表示パネル２０の複数の第一画素２０ｐの各々より面積が大きい。このため、光透過制御パネル３０においては、第一画素２０ｐと同程度の寸法の第二画素３０ｐを有する場合より、光透過制御パネル３０の曲げに対する耐性を向上させることができる。また、ＯＬＥＤ表示パネル２０は、第一透明基板２１及び第二透明基板２２の厚さを十分に薄くすることにより、フレキシブル化が可能である。したがって、表示装置１０によって、フレキシブルで、かつ、黒表示が可能な透光性の表示装置を実現できる。
【００３５】
また、表示装置１０において、光透過制御パネルは、光の偏光状態に応じて透過率が異なる第一偏光部材３１及び第二偏光部材３２と、第一偏光部材３１と第二偏光部材３２との間に配置される液晶層３５とを備えてもよい。
【００３６】
これにより、光透過制御パネル３０によって、光透過率を自在に制御することができる。また、このように光透過制御パネル３０において液晶層３５を用いる場合においても、第二画素３０ｐの面積が大きいことから、光透過制御パネル３０を曲げた場合における液晶層３５の厚さの変化を抑制するための対策を施し易くなる。このため、表示装置１０をフレキシブル化することができる。
【００３７】
（実施の形態２）
実施の形態２に係る表示装置について説明する。本実施の形態に係る表示装置は、実施の形態１に係る表示装置１０より、さらに薄型化及びフレキシブル化が可能な構成を有する。以下、本実施の形態に係る表示装置について、実施の形態１に係る表示装置１０との相違点を中心に図面を用いて説明する。
【００３８】
図４は、本実施の形態に係る表示装置１１０の表示部１１２の構成を示す断面図である。図４においては、表示装置１１０における図２と同様の断面が示されている。
【００３９】
図４に示されるように、本実施の形態に係る表示装置１１０は、実施の形態１に係る表示装置１０と同様に、表示面１１０ａと、表示面１１０ａに対して背向する背面１１０ｂとを有し、主に表示部１１２を備える。なお、図示しないが、表示装置１１０は、実施の形態１と同様にベゼル１４を備えてもよい。
【００４０】
本実施の形態に係る表示部１１２は、ＯＬＥＤ表示パネル２０と、光透過制御パネル１３０とを備える。
【００４１】
光透過制御パネル１３０の主要部１３０ｍは、ＯＬＥＤ表示パネル２０に対して背面１１０ｂ側に配置される。
【００４２】
光透過制御パネル１３０は、主要部１３０ｍの他に、第二偏光部材３２を備える。第二偏光部材３２はＯＬＥＤ表示パネル３２０に対して表示面３１０ａ側に配置される。主要部１３０ｍには、第一偏光部材３１と、第三透明基板３３と、液晶層３５と、第二画素回路層３６とが含まれる。
【００４３】
本実施の形態では、図４に示されるように、第一偏光部材３１及び液晶層３５は、ＯＬＥＤ表示パネル２０に対して背面１１０ｂに側に配置され、第二偏光部材３２は、ＯＬＥＤ表示パネル２０に対して表示面１１０ａ側に配置される。このような配置によれば、ＯＬＥＤ表示パネル２０によって、第二偏光部材３２を支持できるため、光透過制御パネル１３０は、第二偏光部材３２を支持するための透明基板を備えなくてもよい。また、液晶層３５は、第三透明基板３３と、ＯＬＥＤ表示パネル２０の第一透明基板２１とによって封止される。つまり、第一透明基板２１は、ＯＬＥＤ表示パネル２０と光透過制御パネル１３０とで共用される。このように、本実施の形態では、光透過制御パネル１３０において、実施の形態１に係る第四透明基板３４を用いない構成を実現できる。これにより、表示装置１１０を薄型化することができ、かつ、低コスト化することができる。また、表示装置１１０では、実施の形態１の表示装置１０と比べて、使用する透明基板の枚数が少ないため、より一層のフレキシブル化が可能となる。
【００４４】
（実施の形態３）
実施の形態３に係る表示装置について説明する。本実施の形態に係る表示装置は、各透明基板を形成する材料において、実施の形態２に係る表示装置１１０と相違する。以下、本実施の形態に係る表示装置について、実施の形態２に係る表示装置１１０との相違点を中心に図面を用いて説明する。
【００４５】
図５は、本実施の形態に係る表示装置２１０の表示部２１２の構成を示す断面図である。図５においては、表示装置２１０における図２と同様の断面が示されている。
【００４６】
図５に示されるように、本実施の形態に係る表示装置２１０は、実施の形態２に係る表示装置１１０と同様に、表示面２１０ａと、表示面２１０ａに対して背向する背面２１０ｂとを有し、主に表示部２１２を備える。なお、図示しないが、表示装置２１０は、実施の形態１と同様にベゼル１４を備えてもよい。
【００４７】
本実施の形態に係る表示部２１２は、ＯＬＥＤ表示パネル２２０と、光透過制御パネル２３０とを備える。
【００４８】
ＯＬＥＤ表示パネル２２０は、実施の形態２に係るＯＬＥＤ表示パネル２０と同様に、第一透明基板２２１と、第二透明基板２２２と、第一画素回路層２３とＯＬＥＤ層２４とを備える。
【００４９】
光透過制御パネル２３０の主要部２３０ｍは、実施の形態２に係る光透過制御パネル１３０と同様に、ＯＬＥＤ表示パネル２２０に対して背面２１０ｂ側に配置される。
【００５０】
光透過制御パネル２３０は、主要部２３０ｍの他に、第二偏光部材３２を備える。第二偏光部材３２はＯＬＥＤ表示パネル２２０に対して表示面２１０ａ側に配置される。主要部２３０ｍには、第一偏光部材３１と、第三透明基板２３３と、液晶層３５と、第二画素回路層３６とが含まれる。
【００５１】
本実施の形態に係る表示装置２１０において、ＯＬＥＤ表示パネル２２０及び光透過制御パネル２３０の少なくとも一方は、プラスチック基板を備える。つまり、第一透明基板２２１、第二透明基板２２２及び第三透明基板２３３の少なくとも一つがプラスチック基板であればよい。本実施の形態では、第一透明基板２２１、第二透明基板２２２及び第三透明基板２３３はいずれもプラスチック基板である。これにより、表示装置２１０のより一層のフレキシブル化が可能となる。また、各透明基板としてガラス基板を用いる場合より、各透明基板が割れにくくなるため、ハンドリングが容易となる。第一透明基板２２１、第二透明基板２２２及び第三透明基板２３３の厚さは、例えば、０．０５ｍｍである。第一透明基板２２１、第二透明基板２２２及び第三透明基板２３３の厚さを０．０５ｍｍ以下とすることで、表示装置２１０のより一層のフレキシブル化が可能となる。
【００５２】
（実施の形態４）
実施の形態４に係る表示装置について説明する。本実施の形態に係る表示装置は、透明基板の枚数において、実施の形態２に係る表示装置１１０と相違する。以下、本実施の形態に係る表示装置について、実施の形態２に係る表示装置１１０との相違点を中心に図面を用いて説明する。
【００５３】
図６は、本実施の形態に係る表示装置３１０の表示部３１２の構成を示す断面図である。図６においては、表示装置３１０における図２と同様の断面が示されている。
【００５４】
図６に示されるように、本実施の形態に係る表示装置３１０は、実施の形態２に係る表示装置１１０と同様に、表示面３１０ａと、表示面３１０ａに対して背向する背面３１０ｂとを有し、主に表示部３１２を備える。なお、図示しないが、表示装置３１０は、実施の形態１と同様にベゼル１４を備えてもよい。
【００５５】
本実施の形態に係る表示部３１２は、実施の形態２に係る表示部１１２と同様に、ＯＬＥＤ表示パネル３２０と、光透過制御パネル３３０とを備える。
【００５６】
ＯＬＥＤ表示パネル３２０は、第二透明基板２２と、第一画素回路層２３とＯＬＥＤ層２４とを備える。
【００５７】
光透過制御パネル３３０の主要部３３０ｍは、実施の形態２に係る光透過制御パネル１３０と同様に、ＯＬＥＤ表示パネル３２０に対して背面３１０ｂ側に配置される。
【００５８】
光透過制御パネル３３０は、主要部３３０ｍの他に、第二偏光部材３２を備える。第二偏光部材３２はＯＬＥＤ表示パネル３２０に対して表示面３１０ａ側に配置される。主要部３３０ｍには、第一偏光部材３１と、第三透明基板３３と、液晶層３５と、第二画素回路層３６とが含まれる。
【００５９】
本実施の形態においては、第一画素回路層２３と第二画素回路層３６とが、それぞれ同一基板の一方の主面と他方の主面とに積層されている。本実施の形態では、ＯＬＥＤ層２４は、第一画素回路層２３（及び第二画素回路層３６）と第二透明基板２２とによって封止される。また、液晶層３５は、第二画素回路層３６（及び第一画素回路層２３）と第三透明基板３３とによって封止される。このように、本実施の形態では、実施の形態２に係る第一透明基板２１を用いることなく、ＯＬＥＤ層２４及び液晶層３５を封止できる。
【００６０】
したがって、本実施の形態に係る表示装置３１０では、実施の形態２に係る表示装置１１０より、さらに薄型化かつフレキシブル化することができる。
【００６１】
（他の実施の形態）
以上、本開示に係る表示装置について、実施の形態に基づいて説明してきたが、本開示に係る表示装置は、上記実施の形態に限定されるものではない。実施の形態における任意の構成要素を組み合わせて実現される別の実施の形態や、実施の形態に対して本開示の主旨を逸脱しない範囲で当業者が思いつく各種変形を施して得られる変形例や、本実施の形態に係る表示装置を内蔵した各種機器も本開示に含まれる。
【００６２】
例えば、上記実施の形態１に係る表示装置１０及び上記実施の形態４に係る表示装置３１０の各透明基板として、実施の形態３に係る各透明基板と同様のプラスチック基板を用いてもよい。
【産業上の利用可能性】
【００６３】
本開示は、表示装置として有用であるとともに、表示装置をウィンドーとして用いたケースなどにおいて有用である。特に、本開示に係る表示装置をウィンドーとして用いたショーケースにおいて有用である。
【符号の説明】
【００６４】
１０、１１０、２１０、３１０  表示装置
１０ａ、１１０ａ、２１０ａ、３１０ａ  表示面
１０ｂ、１１０ｂ、２１０ｂ、３１０ｂ  背面
１２、１１２、２１２、３１２  表示部
１４  ベゼル
２０、２２０、３２０  ＯＬＥＤ表示パネル
２０ｐ  第一画素
２１、２２１  第一透明基板
２２、２２２  第二透明基板
２３  第一画素回路層
２４  ＯＬＥＤ層
３０、１３０、２３０、３３０  光透過制御パネル
３０ｐ  第二画素
３１  第一偏光部材
３２  第二偏光部材
３３、２３３  第三透明基板
３４  第四透明基板
３５  液晶層
３６  第二画素回路層
１３０ｍ、２３０ｍ、３３０ｍ  主要部
【図１】
2018063929.tif 000003
【図２】
2018063929.tif 000004
【図３】
2018063929.tif 000005
【図４】
2018063929.tif 000006
【図５】
2018063929.tif 000007
【図６】
2018063929.tif 000008